(57)【要約】【課題】農業用トラクタの運転席（座席）の近傍に、飲料水容器（例えばペットボトル）を保持可能なホルダ部（ドリンクホルダ）を安価に設けることができるようにする。【解決手段】後輪３を覆うフェンダ１４Ｌの上部に、変速レバー２６等のガイド溝Ｈ１を有するパネル２５Ｌを備えた作業車両において、前記パネル２５Ｌに開口Ｈを一体的に形成すると共に該開口Ｈ周縁に縦方向の保持片Ｈａを延長して形成し、該保持片Ｈａとフェンダ１４Ｌの上面Ｓとで飲料水容器Ｂを保持するホルダ部４１を構成した。【選択図】図４
2005067498.tif 000002
【特許請求の範囲】
【請求項１】
後輪（３）を覆うフェンダ（１４Ｌ）の上部に、変速レバー（２６）等のガイド溝（Ｈ１）を有するパネル（２５Ｌ）を備えた作業車両において、前記パネル（２５Ｌ）に開口（Ｈ）を一体的に形成し、該開口（Ｈ）とフェンダ（１４Ｌ）の上面（Ｓ）とで飲料水容器（Ｂ）を保持するホルダ部（４１）を構成したことを特徴とする作業車両における飲料水容器の保持構造。
【請求項２】
前記パネル（２５Ｌ）の開口（Ｈ）周縁に縦方向の保持片（Ｈａ）を一体的に延長して形成したことを特徴とする請求項１に記載の作業車両における飲料水容器の保持構造。
【発明の詳細な説明】
【技術分野】
【０００１】
本発明は、農業用トラクタ等の作業車両に係り、詳しくは、作業車両に設ける飲料水容器の保持構造に関する。
【背景技術】
【０００２】
従来、農業用トラクタにおいては、後輪フェンダの上部に開口を設け、この開口に連通する穴を形成したコントロールパネルで前記開口を覆うと共に、小物入れや灰皿等として使用可能な多目的ボックスを、前記コントロールパネルに形成した穴に着脱自在に取付けるものが知られている（例えば、特許文献１参照。）。
【０００３】
【特許文献１】実開平２−６６３４５号公報
【０００４】
しかし、上述した従来のものは、小物入れや灰皿等として使用可能な多目的ボックスを
コントロールパネルとは別に製作しなければならないので、コストの増大につながるといった欠点を有していた。
【０００５】
また、農業用トラクタにおいて耕耘作業等をオペレータが快適に行えるように、運転席近傍で取扱い性のよい位置に飲料水容器を保持可能な、所謂ドリンクホルダを装備することが望まれている。
【発明の開示】
【発明が解決しようとする課題】
【０００６】
本発明が解決しようとする課題は、作業車両の運転席（座席）の近傍に、飲料水容器（例えばペットボトル）を保持可能なドリンクホルダを安価に設けることができるようにする点にある。
【課題を解決するための手段】
【０００７】
本発明は、フェンダ上部に取付けられている副変速操作レバー等の操作案内ガイド用のパネルに開口を一体的に形成すると共に、この開口とフェンダの上面とで、飲料水容器を保持するドリンクホルダ（ホルダ部）を構成したことを特徴とする。
【発明の効果】
【０００８】
本発明は、フェンダ上部に取付けられている変速レバー等の操作案内ガイド用のパネルを利用して飲料水容器を保持するドリンクホルダを形成するものであり、オペレータにとって取扱い性のよい運転席近傍にドリンクホルダを配設することができると共に、当該ドリンクホルダを安価に設置することができる。
また、仮に飲料水容器から飲料水が滴った時にも、飲料水はフェンダの上面を伝って機外に流れ落ちるのでドリンクホルダの掃除が容易であり、更にドリンクホルダにゴミ等が溜まることがないので衛生的である。
【発明を実施するための最良の形態】
【０００９】
フェンダ上部に取付けられている変速レバー等の操作案内ガイド用のパネルを利用して飲料水容器を保持するドリンクホルダを形成することによって、安価にドリンクホルダを設置できるようにする。
【実施例１】
【００１０】
図１及び図２に示すように、農業用トラクタ１は、左右の前輪２，２及び後輪３，３を有する機体４の前部に、エンジン５及びラジエータ（不図示）等からなる原動機部をボンネット６で覆った状態で配設すると共に、その後方にハンドル７及び座席８等からなる操縦部９と、機体４の後部には、昇降リンク機構Ｌを介してロータリ耕耘装置（不図示）等の作業機を昇降自在に連結できるようになっている。
【００１１】
そして、前記機体４は、エンジン５の側部に取付けるシャーシフレーム１０と、エンジン５に連結するクラッチハウジング部１１ａを備えた中間伝動ケース１１と、この中間伝動ケース１１に連結するミッションケース１２等から構成されると共に、図２に示すように中間伝動ケース１１の両側には、オペレータが座席８に着座した状態で足を置く左右のステップ１３Ｌ，１３Ｒを設けている。
【００１２】
また、前記左右のステップ１３Ｌ，１３Ｒの後部からそれぞれフェンダ１４Ｌ，１４Ｒを後方に向けて連設し、左右の後輪３，３の前方及び上方を覆うように構成してある。
尚、左側ステップ１３Ｌ上にはクラッチペダル２１が設けられる一方、右側ステップ１
３Ｒ上には左右のブレーキペダル２２，２３、及び油圧無段変速装置（ＨＳＴ）を操作する変速ペダル２４等が設けてある。
【００１３】
次に、本発明の特徴部分について説明する。
【００１４】
農業用トラクタ１の座席８の両側に配設されている左右のフェンダ１４Ｌ，１４Ｒの上
部には、当該農業用トラクタ１を操縦するための操作具をガイドする熱可塑性樹脂（ＴＰ）からなるパネル２５Ｌ，２５Ｒがそれぞれ螺着してあり、左側パネル２５Ｌからは、高速・低速の二段階の走行変速操作を行う副変速レバー２６と、図示しない作業機用のＭＩＤ・ＰＴＯ及びＲＥＡＲ・ＰＴＯのＯＮ・ＯＦＦレバー２７，２８を突出させる一方、右側パネル２５Ｒからは、図示しない作業機の機体４に対する高さを設定する高さ設定手段であるポジションコントロールレバー３１等の操作具が突出するように構成してある。
【００１５】
更に詳しくは、図３に示すように、前記副変速レバー２６、ＭＩＤ・ＰＴＯ及びＲＥＡ
Ｒ・ＰＴＯのＯＮ・ＯＦＦレバー２７，２８は、座席（８）の下方から左側フェンダ１４Ｌの内壁に沿ってそれぞれのアーム２６ａ，２７ａ，２８ａが屈曲形成してあり、これらアーム２６ａ，２７ａ，２８ａの上部が左側パネル２５Ｌに設けたガイド溝Ｈ１，Ｈ２，Ｈ３に挿通して案内されると共に、当該操作レバー２６，２７，２８の把持部が左側パネル２５Ｌから突出する構成になっている。
一方、前記ポジションコントロールレバー３１も座席（８）の下方から右側フェンダ１４Ｒの内壁に沿ってアーム３１ａが屈曲形成されており、このアーム３１ａの上部が右側パネル２５Ｒに設けたガイド溝Ｈ４に挿通して案内されると共に、当該ポジションコントロールレバー３１の把持部が右側パネル２５Ｒから突出する構成になっている。
【００１６】
尚、前記両パネル２５Ｌ，２５Ｒに臨む左右のフェンダ１４Ｌ，１４Ｒには、図４に示
すように凹部Ｄが設けてあり、この凹部Ｄによって上述した操作具２６，２７，２８，３
１の基部を見栄えよく隠すことができるようになっている。
【００１７】
そして、左側パネル２５Ｌの前部側には、丸穴状の開口Ｈを一体的に形成してあり、こ
の開口Ｈとフェンダ１４Ｌの上面Ｓとで、ペットボトルやジュース缶等の飲料水容器Ｂを
保持するホルダ部（ドリンクホルダ）４１を形成している。
また、前記開口Ｈの周縁には縦方向（下方）の保持片Ｈａを一体的に延長して形成してあり、この保持片Ｈａによって飲料水容器Ｂの中途部を確実に保持することができるので、当該飲料水容器Ｂの傾倒を防止して安定した姿勢保持が可能となる。
【００１８】
更に、上述の如く構成した飲料水容器Ｂを保持するホルダ部（ドリンクホルダ）４１は、
座席８の近傍に設けられており、オペレータが座席８に着座した状態で飲料水容器Ｂをホ
ルダ部４１から取り出してこれを飲むことができる。
【００１９】
また、前記ホルダ部（ドリンクホルダ）４１を、左側フェンダ１４Ｌの上部に螺着され
ている熱可塑性樹脂（ＴＰ）からなるパネル２５Ｌのみで一体的に形成することも可能で
あるが、その場合、飲料水容器Ｂの底部を直接受ける受け部（底）を形成しなければなら
ないので、当該パネル２５Ｌを成形する成形金型のアンダーカット処理が必要となりコス
ト高となる。
一方、本発明によるホルダ部４１は、既存の左側フェンダ１４Ｌと、この左側フェンダ
１４Ｌの上部に螺着されている熱可塑性樹脂（ＴＰ）からなるパネル２５Ｌを利用して構成したものであり、特別な部品を必要としないことから安価に構成できる利点がある。
更に、ホルダ部４１から滴った飲料水は左側フェンダ１４Ｌの凹部Ｄを伝って機外に排出され、同様に前記丸穴状の開口Ｈから侵入したゴミ等も凹部Ｄから機外に排出されるので衛生的である。
【図面の簡単な説明】
【００２０】
【図１】農業用トラクタの側面図。
【図２】同上平面図。
【図３】農業用トラクタを操縦する操作具の配設位置を示す斜視図。
【図４】ホルダ部（ドリンクホルダ）を示す側断面図。
【符号の説明】
【００２１】
３      後輪
１４Ｌ  フェンダ
２５Ｌ  パネル
２６    変速レバー（副変速レバー）
４１    ホルダ部
Ｂ      飲料水容器
Ｈ      開口
Ｈ１    ガイド溝（副変速レバー）
Ｈａ    保持片
Ｓ      フェンダの上面
【図１】
2005067498.tif 000003
【図２】
2005067498.tif 000004
【図３】
2005067498.tif 000005
【図４】
2005067498.tif 000006